(57)【要約】【課題】  設置現場の状況に応じて切断しても容易に設置することが可能な手摺の取付構造を提供することを目的とする。【解決手段】  手摺１は、中空状の本体１０と、その内部の中心部の長手方向の全長にわたって設けられ、且つ内部に装着孔１６が形成された装着部１４と、装着部１４を本体１０の内部の中心部に配置するために本体１０の内壁と装着部１４との間に該装着部１４と同一長さに架設されたリブ１３とを備える。これにより、本体１０のどの位置から切断しても装着部１４を使用できるので、本体１０の切断位置にかかわらず被取付部材に接続するための連結部材３を取り付けることができる。【選択図】  図１
2018145641.tif 000002
【特許請求の範囲】
【請求項１】
中空状の本体の内部に当該本体の長手方向に亘って配置され、内側に連結部材を装着するための締着部材が螺着される装着孔が形成された装着部と、
前記装着部を前記本体の内部の中央に位置させるために前記本体の内壁と前記装着部との間に架設されたリブと、
を備えていることを特徴とする手摺。
【請求項２】
請求項１に記載の手摺において、
前記本体の表面には凹凸が形成されていると共に、前記リブは前記凹凸が形成されていない部分の前記本体の内壁に設けられていることを特徴とする手摺。
【請求項３】
請求項１又は２に記載の手摺において、
前記装着部は、一部が長手方向に開口した断面Ｃ字形状とされていることを特徴とする手摺。
【請求項４】
請求項１から３のいずれか１項に記載の手摺の端部に取り付けた連結部材を介して当該手摺を他の手摺や接続具等の被取付部材に取り付ける手摺の取付構造において、
前記連結部材は、
前記装着部に螺着される前記締着部材を挿通する挿通孔と、
内側に前記リブを内装して挟持する挟持部と、
前記手摺の端面に当接するフランジ部と、
前記被取付部材へ固定するための固定部材が当接する凹部が設けられた挿入部と、
を備え、前記手摺に固定した状態の前記連結部材の前記挿入部を前記被取付部材に挿入して前記固定部材で締着固定することにより前記手摺を被取付部材に固定することを特徴とする手摺の取付構造。
【発明の詳細な説明】
【技術分野】
【０００１】
本発明は、手摺及びその取付構造に関し、特に、設置場所の状況に応じて現場で長さ調整を行った場合であっても簡単に設置することが可能な手摺及びその取付構造に関する。
【背景技術】
【０００２】
高齢者や身体障害者の歩行や移動を補助するために屋内の床や通路等に設置される手摺は、一般に所定間隔に立設された支柱または側壁に取り付けられたブラケット等を介して固定されるが、手摺の取付手段については種々の提案がなされており、例えば以下のようなものが提案されている。
【０００３】
特許文献１に示された手摺の固定構造では、中間部に雌ネジが切られた柱状の雌ネジ体が中心部に挿入された緩衝用弾性体を、パイプ状の手摺内に挿入し、さらに支柱から延伸しているボルトが上記雌ネジに噛合するように手摺及び緩衝用弾性体に孔を設け、この各孔を通してボルトを雌ネジにねじ込むことにより手摺を固定している。これにより、現場での手摺固定作業が容易に行えるようにしたものである。
【０００４】
また、特許文献２に示されたパイプ管継手部材及び継手方法では、第一，第二の二つのパイプ管を連結するに際し、中心にネジ体が配設されると共に第一，第二の差込部を備えた継手本体、円筒状の弾性部材による止め輪体及び押圧体の３パーツを主体にパイプ管継手部材を構成する。片側に花びら状の押圧補助体を有した押圧体を第一のパイプ管の一端に止め輪体及び継手本体を軸方向に連結する様にして止め輪体及び押圧体を第二のパイプ管に介在させ、上記第二の差込部に第二のパイプ管を嵌め込んだ後、押圧体を回転させることで押圧片が止め輪体が押し込まれる。これにより、取り付け作業が簡易に行え、且つ、パイプ管の相互を強固に繋ぐことが可能となるというものである。
【先行技術文献】
【特許文献】
【０００５】
【特許文献１】登録実用新案第３０２０５７８号公報
【特許文献２】特開２００１−３４８９６２号公報
【発明の概要】
【発明が解決しようとする課題】
【０００６】
特許文献１，２に開示された手摺の取付手段は、いずれも手摺りの設置を容易にするものである。しかしながら、特許文献１の手摺の固定構造は手摺の端部から長手方向の所定の位置の側面にネジ止めする構造であり、位置決めが容易ではなく、特許文献２のパイプ管継手部材及び継手方法は中空状の手摺の端部を固定するものであるが部品点数がやや多い。一方で、手摺は予め工場等において設置場所に応じた長さに予め切断したものを現場に持ち込んで取り付けるのが通常であり、設置する場所の状況に応じて現場で手摺を適宜に切断して長さ調整したものを取り付けることはあまり行われていなかった。
【０００７】
そこで、本発明は、かかる問題点に鑑みなされたもので、設置場所の状況に応じて現場で手摺を適宜の長さに切断することにより手摺の長さ調整を行った場合であっても、簡単な取り付け作業によって設置が可能な手摺を提供することを目的とする。
【０００８】
また、本発明は、設置現場の状況に応じて長さ調整を行った手摺を取り付ける作業を容易に行うことが可能な手摺の取付構造を提供することを目的とする。
【課題を解決するための手段】
【０００９】
上記課題を解決するために請求項１に記載の発明は、中空状の本体の内部に当該本体の長手方向に亘って配置され、内側に連結部材を装着するための締着部材が螺着される装着孔が形成された装着部と、前記装着部を前記本体の内部の中央に位置させるために前記本体の内壁と前記装着部との間に架設されたリブとを備えていることを特徴とする。
【００１０】
上記課題を解決するために請求項２に記載の本発明は、請求項１に記載の手摺において、前記本体の表面には凹凸が形成されていると共に、前記リブは前記凹凸が形成されていない部分の前記本体の内壁に設けられていることを特徴とする。
【００１１】
上記課題を解決するために請求項３に記載の本発明は、請求項１又は２に記載の手摺において、前記装着部は、一部が長手方向に開口した断面Ｃ字形状とされていることを特徴とする。
【００１２】
上記課題を解決するために請求項４に記載の本発明は、請求項１から３のいずれか１項に記載の手摺の端部に取り付けた連結部材を介して当該手摺を他の手摺や接続具等の被取付部材に取り付ける手摺の取付構造において、前記連結部材は、前記装着部に螺着される前記締着部材を挿通する挿通孔と、内側に前記リブを内装して挟持する挟持部と、前記手摺の端面に当接するフランジ部と、前記被取付部材へ固定するための固定部材が当接する凹部が設けられた挿入部とを備え、前記手摺に固定した状態の前記連結部材の前記挿入部を前記被取付部材に挿入して前記固定部材で締着固定することにより前記手摺を被取付部材に固定することを特徴とする。
【発明の効果】
【００１３】
本発明に係る手摺によれば、手摺の本体内の全長にわたってリブ及び装着部を設けたので、手摺の長手方向のどの部位で切断しても断面に常にリブ及び装着部からなる同一の断面形状を出現させることができ、現場で手摺を任意の長さに切断して長さ調整を行った場合であっても直ちに連結部材を装着することが可能となるという効果がある。その結果、手摺の長さ調整を現場で行うことができるので設置場所の状況に応じた臨機応変の対応が可能となるという効果がある。
【００１４】
また、本実施形態に係る手摺の取付構造によれば、一端側には手摺に設けられたリブ及び装着部に装着される挟持部が設けられ、且つ、他端側には他の手摺や接続具等の被取付部材に挿入する挿入部が設けられた連結部材を用いることによって、現場で切断した手摺を簡単に所定の設置場所に取り付けることが可能になるという効果がある。
【図面の簡単な説明】
【００１５】
【図１】本発明に係る手摺及び連結部材を示す斜視図である。
【図２】連結部材を取り付けた状態の手摺を示す斜視図である。
【図３】（ａ）は手摺のＡ−Ａ断面図、（ｂ）は手摺のＢ−Ｂ断面図、（ｃ）は手摺のＣ−Ｃ断面図である。
【図４】連結部材を側面側から見た斜視図である。
【図５】連結部材を手摺へ挿入する側から見た斜視図である。
【図６】連結部材を図５とは反対側から見た斜視図である。
【図７】（ａ）は連結部材を取り付けた手摺をコーナーエルボへ組み付け前の状態を示す側面図、（ｂ）は組み付け後の状態を示す側面図である。
【発明を実施するための形態】
【００１６】
以下、本発明に係る手摺及びその取付構造について、好ましい一実施形態に基づいて詳細に説明する。図１は本発明に係る手摺及び連結部材を示す斜視図、図２は連結部材を取り付けた状態の手摺を示す斜視図、図３（ａ）は手摺のＡ−Ａ断面図、同（ｂ）は手摺のＢ−Ｂ断面図、同（ｃ）は手摺のＣ−Ｃ断面図である。初めに、本発明に係る手摺の好ましい一実施形態の構成について説明する。
【００１７】
［手摺の構成］
図示された手摺１は、概略として、中空状の本体１０と、本体１０の表面に長手方向に沿って連続するようにして設けられた複数の凹部１１，１１の連続によって形成された凹凸からなる握り部１２と、本体１０の内部に長手方向に亘って配置され、内側に後述する定着部材であるタッピンネジ４が螺合する装着孔１６が設けられた装着部１４と、装着部１４を本体１０の内部の中央に位置させるために本体１０の内壁と装着部１４との間に架設されたリブ１３，１３を備えて構成されている。
【００１８】
本体１０は、アルミニウムなどの金属材料によって形成された中空の円筒パイプ状部材によって構成されており、人の手で握れる程度の外径を有している。本実施形態の手摺１は、金属製の円筒パイプ状の本体１０の表面を所定間隔で押圧することによって凹部１１，１１を連続して複数形成することにより凹凸を形成している。この凹凸の高低差や間隔は人の標準的な指の直径及び間隔に合わせて形成されている。このようにして形成された握り部１２は、使用者の手が滑るのを防止するために設けられている。もちろん、本体１０は、これに限らず、例えば樹脂材、金属材等を成形加工や押し出し加工等を施すことによって形成することもできる。本体１０の長さは製品の仕様に合わせた寸法であるが、現場において適宜の切断器具を用いて所望の長さにカットすることができるものとなっている。
【００１９】
装着部１４は本体１０の内壁面に立設されたリブ１３，１３によって両側から支持されるようにして本体１０の断面の略中心に位置するようにして配置されている。そして、リブ１３，１３は、凹部１１，１１の形成を妨げることがないよう、凹部１１，１１を避けるようにして本体１０の内壁面に配置されている。すなわち、図３（ａ），（ｂ）に示すように、リブ１３，１３は凹部１１，１１が形成されていない側の本体１０の内壁面にやや「ハの字」状に配置されている。そのため、手や指にフィットするような深さの凹部１１，１１を形成することができるようになっている。尚、握り部１２の形状は凹部１１，１１の連続によるものとしたが、これに限定されるものではなく、例えば、ラックの歯形状、格子状の突起や凹部等の形状や梨地処理、さらには凹凸等を有するゴムやビニールの被覆等によって形成したものであってもよい。
【００２０】
リブ１３，１３及び装着部１４は、図３（ａ）〜（ｃ）に示すように本体１０の内部に全長に亘って形成されている。装着部１４には装着孔１６が設けられており、装着孔１６は、後述するタッピンネジ４が螺着可能となるように内部が中空状の円筒形状とされ、長手方向に沿ってスリット１５が形成されて断面がＣ字形状とされている。尚、本実施形態では定着部材をタッピンネジ４としたが、これに限らず、装着孔１６の内側に予めネジ溝を設け、定着部材をボルトとすることもできる。また、本実施形態ではスリット１５は凹部１１，１１側とは反対側に形成されている。このように、形成された手摺１はその長さを調整すべく手摺１の長さ方向のいずれの部分で切断したとしてもリブ１３及び装着部１４が本体１０の端面に露出することになる。従って、手摺１の本体１０の切断位置にかかわらず、即ち、手摺１の長さにかかわらず後述する連結部材３を取り付けることができ、現場における手摺１の長さ調整も適宜に行うことが可能となる。よって、現場での取り付け作業が効率的に行えると供に、現場の状況に応じて手摺１を所望の位置又は理想の場所に取り付けることが可能となる。
【００２１】
［手摺の取付構造］
次に、本発明に係る手摺の取付構造の好ましい一実施形態について説明する。本実施形態における手摺の取付構造は、上述した手摺１を他の手摺や接続具等の被取付部材に連結するためのものであり、その具体的な構成としては手摺１の端面に連結部材３をタッピンネジ４によって固定し、連結部材３を介して被取付部材に取り付けるものである。
【００２２】
［連結部材の構成］
図４は連結部材を側面側から見た斜視図、図５は連結部材を手摺へ挿入する側から見た斜視図、図６は連結部材を図５とは反対側から見た斜視図である。連結部材３は、手摺１の端面に挿入固定される部材であり、概略として、中間部分に設けられて手摺１に対する挿入位置を規制するフランジ部３１と、一方側（図４では左側）に設けられてリブ１３，１３及び装着部１４を両側から挟持する２つの挟持片３３ａ，３３ｂによって形成される挟持部３３と、フランジ部３１の他方側（図４では右側）に設けられた円筒形状の挿入部３５とを備えて構成されている。そして、挿入部３５には、連結部材３を手摺１の装着部１４に固定するためのタッピンネジ４が挿通される挿通孔３７と、手摺１に対する挿入方向における略中間位置に凹部３６が形成されている。凹部３６には後述するコーナーエルボ５に挿入部３５を挿入した後、連結部材３を固定するための六角穴付ボルト５０の先端部が介在する部分となる。また、挟持片３３ａには外側方向に立設されたリブ３４と、装着部１４に設けられたスリット１５に嵌合する凸部３２が形成されている。
【００２３】
［手摺の取り付け方法］
次に、連結部材３を用いた手摺１を被取付部材の一つであるコーナーエルボ５へ取り付ける方法について説明する。図７（ａ）は連結部材を取り付けた手摺をコーナーエルボへ組み付け前の状態を示す側面図、同（ｂ）は組み付け後の状態を示す側面図である。まず、設置場所の状況に応じて手摺１を適宜の切断器具を用いて所望の長さに切断する。その際の切断面の形状は図３（ｂ），（ｃ）又はその中間の形状となる。次いで、図１に示すように、連結部材３の挟持部３３を手摺１の端面に現れたリブ１３，１３及び装着部１４を内部に収容するようにして挿入する。すなわち、手摺１のリブ１３，１３と連結部材３の挟持片３３ａ，３３ｂの位置合わせを行った後、フランジ部３１が手摺１の端部に当接するまで挟持部３３を矢印Ｄ方向へ挿入する。これにより、図２及び図７（ａ）に示すように手摺１と連結部材３が一体化される。この状態において、挟持片３３ａ，３３ｂがリブ１３を挟持することになるので連結部材３は回転することはない。次いで、連結部材３の挿通孔３７へタッピンネジ４を図１に示す矢印Ｅ方向から挿入し、タッピンネジ４を回転させて装着部１４の装着孔１６にねじ込んで連結部材３を手摺１の端部に固定する。
【００２４】
次に、タッピンネジ４によって連結部材３が装着された手摺１をコーナーエルボ５に取り付ける。すなわち、手摺１をコーナーエルボ５の開口部に図７（ａ）に示す矢印Ｆ方向へ挿入することにより、図７（ｂ）に示すように手摺１とコーナーエルボ５を互いに連結させる。そして、コーナーエルボ５の端部近傍の側面に配置された六角穴付ボルト(キャップボルト)５０を六角レンチによって締着することによって手摺１をコーナーエルボ５に固定する。六角穴付ボルト５０が設けられた位置は手摺１に取り付けた連結部材３をコーナーエルボ５に挿入した際の挿入部３５に設けられた凹部３６と一致しているため、六角穴付ボルト５０をねじ込むことで凹部３６内に六角穴付ボルト５０の先端部が介在し、挿入部３５はコーナーエルボ５にしっかりと固定することができる。尚、六角穴付ボルト５０の頭部はコーナーエルボ５の表面よりも内側に位置するようにして設けられており、使用者が六角穴付ボルト５０の頭部で利用者が指を傷つけたりしないようなっている。
【００２５】
以上のように、手摺１の本体１０に設けられたリブ１３，１３及び装着部１４に対応する挟持部３３及びコーナーエルボ５と連結するための挿入部３５を備えた連結部材３を介して手摺１をコーナーエルボ５に固定することとしたので、手摺１の取り付けが容易となる。そして、図３（ａ）に示すようにリブ１３，１３及び装着部１４は本体１０の全長に及んでいるので、設置現場の状況等に応じて手摺１を任意の部位で切断して手摺１を任意の長さに調整した場合であってもリブ１３，１３及び装着部１４は常に同じ断面形状となるので、連結部材３を介してコーナーエルボ５に取り付けることが可能となる。従って、設置場所の状況に応じて現場で適宜に切断した任意長の手摺１を直ちに取り付けることが可能となる。
【００２６】
［実施形態の効果］
本実施形態に係る手摺によれば、本体１０内の全長にわたってリブ１３及び装着部１４を設けたので、軸方向のどの部位で切断してもリブ１３，１３及び装着部１４が存在することとなり、連結部材３の装着が本体１０をどの部位で切断しても可能となる。即ち、任意の長さの手摺１が支柱等に取り付け可能になるという効果がある。
【００２７】
また、本実施形態に係る手摺の取付構造によれば、手摺１に設けられたリブ１３及び装着部１４に嵌合する挟持部３３を備えた連結部材３と、本体１０に対する挿入位置を規制するフランジ部３１とを備える連結部材３の一端を手摺に嵌合し、さらに連結部材３の他端をコーナーエルボ５等に嵌入することにより、簡単に手摺１を被取付部材、例えばコーナーエルボ５等に取り付けることが可能になるという効果がある。
【００２８】
以上のように、本発明に係る手摺及びその取付構造の好ましい一実施形態について説明したが、本発明は係る特定の実施形態に限定されるものではなく、特許請求の範囲に記載された本発明の要旨の範囲内において、種々の変形・変更が可能であることはいうまでもない。
【符号の説明】
【００２９】
１      手摺
３      連結部材
４      タッピンネジ
５      コーナーエルボ
１０    本体
１１    凹部
１２    握り部
１３    リブ
１４    装着部
１５    スリット
１６    装着孔
３１    フランジ部
３２    凸部
３３    挟持部
３３ａ，３３ｂ  挟持片
３４    リブ
３５    挿入部
３６    凹部
３７    挿通孔
５０    六角穴付ボルト
【図１】
2018145641.tif 000003
【図２】
2018145641.tif 000004
【図３】
2018145641.tif 000005
【図４】
2018145641.tif 000006
【図５】
2018145641.tif 000007
【図６】
2018145641.tif 000008
【図７】
2018145641.tif 000009